(57)【要約】【課題】  良好な接触が得られる電池端子を提供することを目的とする。【解決手段】  電池端子２を、板状部材２０で構成して、その板状部材２０を中央の折返部２１を境にした両側が互いに向き合うように折返部２１で折り返す。その折返部２１を境にした片側を固定片２２として、他方の片側を電池の電極に接触して電気的な導通を得る接触片２３として作用させる。さらに接触片２３の先端部に、外方に向く接触突起２３１を設ける。その接触片２３の先端が垂れ下がらないように板状部材２０の剛性が部分的に弱められるための括れ２３３を設けてその括れを撓み部として電池電極との接触安定性を高める。【選択図】  図３
2005259416.tif 000002
【特許請求の範囲】
【請求項１】
板状部材が、中央の折返部を境にした両側が互いに向き合うように該折返部で折り返され、該折返部を境にした片側が機器に固定される固定片、他方の片側が電池の電極に接触して電気的な導通を得る接触片として形成された電池端子において、
前記接触片の先端部に設けられた、外方に突出して電池電極に接する接触突起と、
前記接触片に設けられた、前記板状部材の剛性が部分的に弱められて電池電極との接触時に撓む撓み部とを有することを特徴とする電池端子。
【請求項２】
前記撓み部は、前記折返部と前記接触突起との間において、前記板状部材の一部を欠くことにより剛性が弱められた部分であることを特徴とする請求項１記載の電池端子。
【請求項３】
前記撓み部は、電池電極との接触時に撓むように構成された前記接触突起自体であることを特徴とする請求項１記載の電池端子。
【請求項４】
板状部材が、中央の折返部を境にした両側が互いに向き合うように該折返部で折り返され該折返部を境にした片側が機器に固定される固定片、他方の片側が電池の電極に接触して電気的な導通を得る接触片として形成された電池端子において、
前記接触片の先端部に設けられた、外方に突出して電池電極に接する接触突起と、
前記板状部材の前記固定片から前記接触突起が離れる方向に折り曲げられた折曲部とを備えたものであることを特徴とする電池端子。
【請求項５】
前記折曲部は、前記折返部と前記接触突起との間に設けられた、該折返部における折返方向とは逆方向に折り曲げられた部分であることを特徴とする請求項４記載の電池端子。
【請求項６】
前記折曲部は、前記固定片の途中に設けられた、前記折返部における折り返し方向と同方向に折り曲げられた部分であることを特徴とする請求項４記載の電池端子。
【発明の詳細な説明】
【技術分野】
【０００１】
板状部材が、中央の折返部を境にした両側が互いに向き合うようにその折返部で折り返されその折返部を境にした片側が機器に固定される固定片、他方の片側が電池の電極に接触して電気的な導通を得る接触片として形成された電池端子に関する。
【背景技術】
【０００２】
機器の中には電池が機器内の電池室に装填され、その装填された電池からの電力の供給を受けて動作するものがある。このような機器にあっては、電池が電池室に装填される度に、その装填に応じて電池の電極にしっかりと接触する電池端子が必要になる。
【０００３】
そこで、電池端子をバネ構造にして電池が電池室に装填されたときにそのバネを作用させて電池端子を電池電極にしっかりと接触させる技術が提案されている（例えば特許文献１、２参照）。
【０００４】
図１は、従来の電池端子の構造の一例を示す図である。
【０００５】
図１に示す電池端子１は、板状部材１０が、中央の折返部１１を境にした両側が互いに向き合うようにその折返部１１で折り返されその折返部１１を境にした片側が機器に固定される固定片１２、他方の片側が電池の電極に接触して電気的な導通を得る接触片１３として形成されたものである。この例では、接触片１３が折返部を中心に折り返される長さをおよそ電池電極の長さの半分ぐらいになるようにしてあり、固定片側の取付部を機器に固定すると、電池が挿入されたときに接触片１３側の一端がうまく電池電極に接するようになっている。また接触片１３の先端部には外方に突出して電池電極に接する接触突起１３１が設けられており、その接触片の接触突起１３１が電池電極の中央に接することによって電池からの電力がこの電池端子を備える機器に供給される。
【０００６】
このような電池端子を、小型化した機器内の電池室に収めようとすると、図２に示すようになる。
【０００７】
図２は、図１の電池端子をその狭いスペースの電池室にコンパクトに収めようとした場合の電池端子の状態を示す図である。
【０００８】
この電池端子を電池室に配備する場合、電池端子に接触圧を持たせて確実に電池電極と接触させるようにしなければならないため板状部材にはある程度の剛性を持たせた上で折返部を境にして両側が互いに向き合うように折返してある。
【０００９】
しかし、ある程度の剛性を持たせた電池端子のａ寸法がなるべく小さくなるように折り返して電池電極の中央に接触突起１３１を接触させるようにして電池端子を機器内に配設しようとすると、接触片１３の先端が垂れ下がってしまうことがある。これは剛性が強すぎて起こる現象であり、この現象が起こると接触突起と電極との接触安定性が悪くなって接触不良が引き起こされてしまう。
【００１０】
そこで特許文献２のものでは、板材部材の代わりに細線を用いて端子の剛性を弱めて接触片と電池電極との接触安定性を得ようとしている（例えば特許文献２参照）。しかし、この特許文献２のものでもコンパクトに配設しようとすると、接触端子自体の剛性が弱まった分、電池電極と端子の接触部に波打ちのようなものが生じてしまって接触不良が起こることが予想される。
【特許文献１】特開平５−８２１８５号公報
【特許文献２】特開２００１−８４９７９号公報
【発明の開示】
【発明が解決しようとする課題】
【００１１】
本発明は、上記事情に鑑み、良好な接触が得られる電池端子を提供することを目的とする。
【課題を解決するための手段】
【００１２】
上記目的を達成する本発明の第１の電池端子は、板状部材が、中央の折返部を境にした両側が互いに向き合うようにその折返部で折り返されその折返部を境にした片側が機器に固定される固定片、他方の片側が電池の電極に接触して電気的な導通を得る接触片として形成された電池端子であって、
上記接触片の先端部に設けられた、外方に突出して電池電極に接する接触突起と、
上記接触片に設けられた、上記板状部材の剛性が部分的に弱められて電池電極との接触時に撓む撓み部とを有することを特徴とする。
【００１３】
上記本発明の電池端子によれば、機器内に配備されている電池室などの狭いスペースにこの電池端子を配設しようとしたときに上記接触片の撓み部の剛性を弱める程度を調節することでこの電池端子と電池電極との接触時の接触圧が調節される。そうするとどのような狭いスペースであっても電池端子が配設され良好な接触が得られる。
【００１４】
ここで、上記撓み部は、上記折返部と前記接触突起との間において、上記板状部材の一部を欠くことにより剛性が弱められた部分であることが好ましい。
【００１５】
このように板状部材の一部を欠くことにより剛性が弱められると、調節が非常に容易にになる。このため図２に示すａ寸法が小さくなるように折り返してこの電池端子を機器内にコンパクトに配設しても接触圧がうまく調節されて上記撓み部がうまく撓んで上記接触突起が下方に垂れ下がるこなく電池電極にしっかりと接触する。その結果、接触突起と電極との良好な接触安定性が得られて接触不良が起こり難くなる。
【００１６】
また上記撓み部は上記接触突起自体に設けられたものでも良く、その場合には、上記接触突起が電池電極に接触したときにその接触突起がうまく撓んで電池電極にしっかりと接するようになる。
【００１７】
また、上記目的を達成する本発明の第２の電池端子は、板状部材が、中央の折返部を境にした両側が互いに向き合うようにその折返部で折り返されその折返部を境にした片側が機器に固定される固定片、他方の片側が電池の電極に接触して電気的な導通を得る接触片として形成された電池端子であって、
上記接触片の先端部に設けられた、外方に突出して電池電極に接する接触突起と、
上記接触突起が、上記板状部材の前記固定片から離れる方向に折り曲げられた折曲部とを備えたものであることを特徴とする。
【００１８】
上記本発明の第２の電池端子によれば、狭いスペースにこの第２の電池端子を配設しようとしても上記接触片の先端にある接触突起が上記折曲部により折り曲げれられたことによって電池電極にしっかりと接触する。このように接触片の先端の接触突起と電池電極とがしっかりと接触すると接触安定性が高まって接触不良が起こり難くなる。
【００１９】
ここで上記折曲部は、上記折返部と上記接触突起との間に設けられた、その折返部における折返方向と逆方向に折り曲げられた部分であっても、また上記固定片の途中に設けられた、上記折返部における折り返し方向と同方向に折り曲げられた部分であっても良い。
【００２０】
さらに上記折曲部は、上記折返部と上記接触突起との間に設けられた、その折返部における折返方向と逆方向に折り曲げられた部分と上記固定片の途中に設けられた、上記折返部における折り返し方向と同方向に折り曲げられた部分との双方の部分であっても良い。
【発明の効果】
【００２１】
以上、説明したように、良好な接触が得られる電池端子が実現される。
【発明を実施するための最良の形態】
【００２２】
以下図面を参照して本発明の実施の形態を説明する。
【００２３】
図３は、本発明の第１の実施形態である電池端子を示す図である。
【００２４】
図３（ａ）には右斜め上方からこの電池端子を見た斜視図が、また図３（ｂ）にはその電池端子の側面図が示されている。
【００２５】
図３（ａ）に示すように電池端子２は、板状部材２０が、中央の折返部２１を境にした両側が互いに向き合うようにその折返部２１で折り返されその折返部２１を境にした片側が機器に固定される固定片２２、他方の片側が電池の電極に接触して電気的な導通を得る接触片２３として形成されたものであって、接触片２３の先端部に設けられた、外方に突出して電池電極に接する接触突起２３１と、その接触片２３に設けられた、板状部材２０の剛性が部分的に弱められて電池電極との接触時に撓む撓み部２３３とを有している。
【００２６】
この撓み部２３３は、折返部２１と接触片２３の先端部２３２にある接触突起２３１との間において、板状部材２０の一部を欠くことにより剛性が弱められたものであり、図３には、その撓み部として板状部材２０の一部を欠くことによって括れを設けた例が示されている。
【００２７】
また、図４は折返し部２１と接触片２３の先端部２３２との間にその括れ２３３を設けた電池端子２と電池電極が接触する状態を示す図である。
【００２８】
この括れの程度を調節することで、電池端子のａ寸法（図４参照）をなるべく小さくするように折り返して機器内にコンパクトに配設しても、接触片２３が湾曲して接触突起２３１が下方に垂れ下がってしまわずに、その括れ２３３からなる撓み部が撓んで接触突起２３１が持ち上がり電池電極にしっかりと接する電池端子が実現される。その結果、接触突起２３１と電池電極との良好な接触安定性が得られる。
【００２９】
なお、この例では撓み部２３３として括れを設けた例を示したが、板状部材２０の中央部を切り欠いてスリットを設けて撓み部を構成しても良い。
【００３０】
図５は、接触突起２３１ａの先端を細くして接触突起２３１ａの剛性を弱めて接触突起２３１ａ自体に撓み部を設けた例を示す図である。
【００３１】
図５に示す電池端子２は図４で説明したように剛性が弱められているため、必ず接触突起２３１ａが電池電極に接する。ここで、さらにその接触突起２３１ａの先端を細くすることによって接触突起２３１ａ自体の剛性を弱めてその接触突起の先端と電池電極との接触圧を調節したものである。この例では括れを設けて板状部材の剛性を若干弱めてから、さらに接触端子２３１ａの先端を細くした例が示されている。このように剛性が弱められた板状部材を用いて、接触端子２３１ａの先端を細めることによって接触端子２３１ａ自体の剛性を弱めるような構成であると、接触圧の調節を簡単に行うことができ、良好な接触圧が得られる電池端子が実現される。
【００３２】
なお、図５では狭いスペースに配設しても接触端子の先端が必ず電極に接するようにするために、接触片に括れを設けた例を示したが、これはスリットであっても良い。また折返部を設けずに単に接触端子の先端を細くしてその細くして針のようにした接触端子の先端を電池電極に接触させるようにして電池端子を狭いスペースに配設しても良好な接触が得られる電池端子が実現される。
【００３３】
図６は、第２実施形態を示す図である。
【００３４】
図６（ａ）には電池端子の側面図が、図６（ｂ）には電池がその電池端子に接触するときの状態を示す図である。
【００３５】
図６（ａ）に示す電池端子３は、板状部材３０が、中央の折返部を境にした両側が互いに向き合うようにその折返部３１で折り返され、その折返部３１を境にした片側が機器に固定される固定片３２、他方の片側が電池の電極に接触して電気的な導通を得る接触片３３として形成されたものであって、接触片３３の先端部に設けられた、外方に突出して電池電極に接する接触突起３３１と、その接触突起３３１が、板状部材の固定片３２から離れる方向に折り曲げられた折曲部３３２とを備えたものである。ここでいう折曲部３３２は、折返部３１と接触突起３３１との間に設けられた、折返部３１における折返方向と逆方向に折り曲げられた部分である。この電池端子をａ寸法が小さくなるように配設しても接触突起が垂れ下がることがない。また図６（ａ）に示す電池端子３には、その折曲部３３２と折返部３１との間に、撓み３１１が設けられた例が示されている。その撓み３１１が電池が挿入されたときに電池電極とは接触しない位置に設けられていて、図６（ｂ）に示すように電池が挿入されてこの電池端子の接触突起部が電池電極に接触したときにはその接触突起をやや持ち上げるようにその撓み３１１が作用して接触突起部３３１を電池電極に確実に接触させる。
【００３６】
このように電池電極に接触しない部分の長さは必要になるが、狭いスペースに配設されａ寸法（図２あるいは図４参照）が小さくなっても、良好な接触が得られる電池端子が実現される。
【００３７】
図７は、図６の変形例を示す図である。
【００３８】
図７には、折曲部４２１が、固定片４２の途中に設けられた、折返部４１における折り返し方向と同方向に折り曲げられた部分である場合の例を示す図である。
【００３９】
図７に示すように固定片４２の折返し部４１側を浮かすように折曲部４２１を設けてこの電池端子を電池室内に配設すると、電池が挿入されたときにその浮きがなくなってその浮きがなくなったことにより接触突起４３１側が持ち上げられて電池電極側にしっかりと接する。このようにすることでも接触突起４３１と電池電極との間に良好な接触安定性が得られる。
【図面の簡単な説明】
【００４０】
【図１】従来の電池端子の構造の一例を示す図である。
【図２】図１の電池端子に電池電極の中央が接触するように電池が挿入された場合の状態を示す図である。
【図３】本発明の第1の実施形態である電池端子を示す図である。
【図４】第２の実施形態を示す図である。
【図５】接触突起２３１の先端を細くして接触突起２３１の剛性を弱めて接触突起２４１自体にも撓み部を設けた例を示す図である。
【図６】第２実施形態を示す図である。
【図７】第２実施形態の変形例を示す図である。
【符号の説明】
【００４１】
１  ２  ３  ４  電池端子
１１  ２１  ３１  ４１    折返部
１２  ２２  ３２  ４２    固定片
１３  ２３  ３３  ４３    接触片
１３１  ２３１  ３３１  ４３１    接触突起
２３２    撓み部
２３３      括れ
３１１    撓み
３３２  ４２１    折曲部
【図１】
2005259416.tif 000003
【図２】
2005259416.tif 000004
【図３】
2005259416.tif 000005
【図４】
2005259416.tif 000006
【図５】
2005259416.tif 000007
【図６】
2005259416.tif 000008
【図７】
2005259416.tif 000009